(57)【要約】【課題】  床板の局部的な過熱を防止し、熱を床板に均一に伝達させる。【解決手段】  床下地材４０と、この床下地材４０の上に設けられる弾力性を有する基材２９と、この基材２９の表面に貼着される電気のヒーター線（発熱手段）２０または基材に埋め込まれる電気のヒーター線（発熱手段）２０と、基材２９の上に設けられヒーター線２０と重ならない位置に配置される小根太（板材）３６と、小根太３６の上に載置される床板３１とを備え、床板３１と前ヒーター線を含む基材２９とは接触するように形成され、床板３１の温度がヒーター線によって過熱されたときに、床板３１とヒーター線を含む基材２９とを引き離す熱収縮シート（引き離し手段）１２を基材２９の表面または内部に設ける。【選択図】              図１
2005098565.tif 000002
【特許請求の範囲】
【請求項１】
床下地材と、該床下地材の上に設けられる弾力性を有する基材と、該基材の表面に貼着される発熱手段または該基材に埋め込まれる発熱手段と、前記基材の上に設けられ前記発熱手段と重ならない位置に配置される板材と、該板材の上に載置される床板とを備え、該床板と前記発熱手段を含む基材とは接触するように形成され、前記床板の温度が前記発熱手段によって過熱されたときに、前記床板と前記発熱手段を含む前記基材とを引き離す引き離し手段を前記基材の表面または内部に設けてなる床暖房装置。
【発明の詳細な説明】
【技術分野】
【０００１】
本発明は、床板を加熱することにより床板上の空間を暖房する床暖房装置に関するものである。
【背景技術】
【０００２】
従来の床暖房装置としては、たとえば柔軟性を有する基材と、この基材の上に積層されたヒーターシートと、さらにこのヒーターシートの上に積層された小根太とを有するものが知られている（特許文献１）。ヒーターシートは浸透性を有するシート状物の片面にヒーター線が間隔をあけて蛇行した状態で固着され、かつ数条おきにヒーター線の蛇行間隔が広い広間隔部を有する。ヒーター線はシート状物の基材側に位置するように設けられ、シート状物の反ヒーター線側には上記広間隔部に対応する位置に、この広間隔部よりも小さい幅寸法の上記小根太が積層一体化されている。
【特許文献１】特開２００３−１６６７２０号公報
【発明の開示】
【発明が解決しようとする課題】
【０００３】
しかしながら、従来の床暖房装置は、ヒーター線で発生した熱が効率的に床板に伝えられるようにするため、ヒーター線はできるだけ床板に接触するように形成されている。しかし、床板の上に局部的に保温性の良いもの、たとえば座布団や布団などが置かれた場合、これらのものは保温性が良いので、これらの下の床板の温度は、その周りの床板部分の温度に比べて高くなる。
【０００４】
このように保温性の良いものが床板上に置かれたとき、その下の床板の温度が必要以上に高くなる（過熱の）おそれがあり、保温性の良いものやその下の床板部分が変色したり、その床板部分が乾燥し、ひび割れ、反りなどを招くおそれがある。このため、床板の局部的過熱は避けられねばならない。床板の過熱を避けるために電気ヒーター線に沿って感熱線を設けたり、複数のサーモスタットを設けることが行われる。
【０００５】
しかし、感熱線の場合は、保温性の良いものが床板上に置かれた結果、局所的に温度が上昇（過熱）したとしても、これが全体的に温度が上昇した場合と区別ができず、局所的な温度上昇を全体的な温度上昇と判断するおそれがある。その上、保温性の良いものの下の床板の過熱による感熱線の抵抗値が大きくなる結果、ヒーター線回路全体の電流値が小さくなり、保温性の良いものの下の床板の温度を下げるとともに、過熱をしていない適正な温度個所まで下げてしまうという不都合があった。
【０００６】
また、サーモスタットの場合は、電熱ボード、電熱シートおよび電熱マットに関する電気技術基準によってサーモスタットの設置数が一定の面積に一つ以上設けることが規定されている。しかし、サーモスタットの数が多くなると設置が煩雑となり、かつ経済的でない。このため、サーモスタットは限られた数のものとなる。この場合、複数のサーモスタットは直列に接続されているので、過熱された個所のサーモスタットが働いて温度が下がったときに、その他の過熱されていない適正温度の個所も下がってしまう。さらに、サーモスタットのない個所が過熱されたときには、この個所の過熱は解消されず、温度が上昇したままとなるおそれもある。
【０００７】
本発明の課題は、床板の局部的な過熱を防止し、熱を床板に均一に伝達させることである。
【課題を解決するための手段】
【０００８】
上記課題を解決するため、本発明は、床下地材と、該床下地材の上に設けられる弾力性を有する基材と、該基材の表面に貼着される発熱手段または該基材に埋め込まれる発熱手段と、前記基材の上に設けられ前記発熱手段と重ならない位置に配置される板材と、該板材の上に載置される床板とを備え、該床板と前記発熱手段を含む基材とは接触するように形成され、前記床板の温度が前記発熱手段によって過熱されたときに、前記床板と前記発熱手段を含む前記基材とを引き離す引き離し手段を前記基材の表面または内部に設けてなることを特徴とする。
【０００９】
このようにすることにより、床板と発熱手段を含む基材とは接触するように形成されるので、発熱手段で発生した熱は主として熱伝導により床板に熱伝達される。床板の上に座布団、布団など保温性の良いものが置かれ、これら保温性の良いものの下の床板がある一定の温度を越えて過熱されたときには、引き離し手段により床板と発熱手段を含む基材とが引き離され非接触となるので、発熱手段を含む基材から床板に伝達される熱量は小さくなる。伝達される熱量が小さくなるので、床板の温度が下がり過熱は解消される。過熱が解消されるので、保温性の良いもの自体や床板の変色が避けられ、かつ保温性の良いものの下の床板部分の乾燥や反り、ひび割れなども回避される。
【００１０】
反対に、過熱した床板の温度が下がり、ある所定の温度より低く下がったときには引き離し手段は元の状態に戻り、床板と発熱手段を含む基材とが接触し、再び発熱手段で発生した熱は床板を主として熱伝導により加熱する。このようにして保温性の良いものの下の床板の温度が制御される。
【００１１】
また、基材は、弾力性を有するので、発熱手段を含む基材自体を床板に押し付けて接触させ、基材自体と床板との密着性を向上させるので熱伝導による熱伝達を良好にする。さらに、基材は弾力性を有するので緩衝材の役目を果たし、発熱手段を損傷から保護する。
【００１２】
さらに、板材は、基材の上に設けられ発熱手段と重ならない位置に配置されることによって、板材は発熱手段に変形、傷などの損傷を与えることがない。さらに、板材と圧縮された基材とによって、床板と床下地材との間の距離が、発熱手段およびこれを床板に押し付ける基材が位置するに最適な高さが形成され、小根太としての機能を発揮する。
【００１３】
また、発熱手段を含む基材と引き離し手段との間に、発熱手段で発生した熱を分散させて床板に均一に熱伝達させる熱分散手段を設けると良い。熱分散手段を設けることにより、床板の局部的な過熱が防止される。また、本発明の床暖房装置は、上記発明の構成に加えて、サーモスタットを併用することにより、さらに好ましいものとなり、床板の局部的な過熱を防止するとともに、熱を床板に均一に伝達させる。
【００１４】
次に本発明を構成する各要件についてさらに詳しく説明する。本発明の床暖房装置は、電気、ガス、太陽熱または石油などのエネルギーを利用して床板を加熱し、この床板の上部空間を暖房するものである。
【００１５】
引き離し手段は、床板が過熱したときに床板と発熱手段を含む基材とを引き離し、床板と基材との間に隙間または空間を形成させるものであれば特に限定されない。たとえば床板の過熱により延びて床板から基材を引き離す熱収縮シート、シート状、帯状、平板状、線状、コイルばね状などの形状記憶材料、バイメタルあるいはクッション材などである。引き離し手段の設けられる位置は、特に限定されないが、基材の表面、基材の内部または基材の裏面などに設けられる。
【００１６】
発熱手段は、電気、ガス、太陽熱または石油などのエネルギーを利用して発熱するもので、特に限定されないが、電気のヒーター線を利用すると簡便である。発熱手段は、基材の表面または基材の内部に蛇行状に設けられると良い。発熱手段自体は、たとえば電気ヒーター線、温水管、温冷媒管などである。なお、発熱手段の近傍に感熱線（センサー線）を沿わせて設けると良い。感熱線を設けることにより床板の温度を制御するとともに過熱を防止する。
【００１７】
熱分散手段は、可撓性を有し、熱伝導性の良いものであれば特に限定されないが、シート状、板状、網状、格子状などの形状で、たとえば二つのシートの間に可撓性および熱伝導性を有する金属薄板または金属箔を挟んで貼着された３層の積層シートでも良い。積層シートは、発熱手段を含む基材の表面に接触して設けられると良い。さらに、積層シートを形成する二つのシートは、スパンボンドなどの不織布、網、紙などで形成され、ある程度耐熱性を備えるものが良い。積層シートは、上記シートを二つ用意し、この二つのシートの間に熱伝導性および可撓性を有する銅箔やアルミ箔を挟み接着剤で貼着して形成される。
【００１８】
発熱手段や熱分散手段を基材に貼着する接着剤、あるいは積層シートにおける二つのシートと箔とを貼着する接着剤としては、たとえば酢酸ビニル系、酢酸ビニル・アクリル系、エチレン・酢酸ビニル系、アクリル・エチレン系、ウレタン系などを使用する。
【００１９】
基材は、不織布、網状シート、紙、孔あきシートなど、ある程度厚みがあり弾力性を有するもので、その表面または内部に発熱手段の蛇行状の回路を設ける。
【００２０】
床板は、板材の上に床板の継目が位置するように配置され熱分散手段および基材を介して床下地材に固定される。床板の材質は、たとえば合板、木質繊維板（ＭＤＦなど）、木削片板、単板積層板などの木質系や軟質、硬質の合成樹脂板などを使用することができる。その厚みは、たとえば６〜２０ｍｍから選定され、床下地材に張る場合、その継目が板材の上に位置するように設けられる
【００２１】
床下地材は、床板にかかる荷重を板材を介して支えるが、その材料は、たとえば合板、木質板、木質繊維板（ＭＤＦなど）、木削片板、単板積層板などの木質系を使用することができる。床下地材の厚みとしては、たとえば９〜３０ｍｍの範囲から選定され、床板よりも厚いものが好ましい。
【００２２】
床下地材の下側にはポリスチレンフォームなどの断熱材を設けると良い。断熱材を設けることにより発熱手段で発生した熱エネルギーの床下からの放熱量を少なくし暖房効率を向上させる。
【００２３】
板材は、発熱手段と重ならない位置に基材または熱分散手段の上に固定されるが、その形状は特に限定されない。板材は、一般的には細長状または短冊状の板を利用する。板材の材質は、合板、木質板、木質繊維板（ＭＤＦなど）、木削片板、単板積層板などの木質系をはじめ合成樹脂系、鉄、銅、アルミニウム合金などの金属系板、形材などでも使用できる。
【００２４】
さらに、板材は、熱分散手段の上に設けることにより、板材を釘や木ねじなどで固定する位置が明確に分かり、かつ釘や木ねじで発熱手段を損傷させることもない。さらに、床板の継目は板材の上に位置するように張られるので、床板の継目部分が撓んだり、跳ね上がるなどの変形をすることがなく、不陸のない床面を与えることができる。
【発明の効果】
【００２５】
本発明によれば、床板の局部的な過熱を防止し、熱を床板に均一に伝達させることができる。
【発明を実施するための最良の形態】
【００２６】
以下、本発明に係る床暖房装置の実施例を図面に基づいて詳細に説明する。なお、図１〜１０において、同一または同等部分には同一符号を付けて示す。
【実施例１】
【００２７】
図４は、第１実施例の床暖房装置の斜視図である。本発明の床暖房装置１は、電気エネルギーを利用して床板を加熱し、この床板の上部空間を暖房するものである。すなわち、床暖房装置１は、床板３１と、この床板３１を電気エネルギーを利用して加熱するヒーターマット３とを備える。ヒーターマット３には、接続ボックス９が設けられ、第１のケーブル６、第２のケーブル７およびこれら二つのケーブルを連結する中間コネクター８を介してコントローラー５に接続される。コントローラー５はヒーターマット３の温度制御を行うものである。コントローラー５には電源コード４が接続される。電源コード４にはプラグ１０が設けられる。
【００２８】
なお、電源コード４およびプラグ１０は、このままコントローラ５に接続されたまま用いられても良いが、この電源コード４およびプラグ１０をヒータマット３の通電試験用として仮設的に使用し、通電試験が終了したときには電源コード４およびプラグ１０を取り外し、コントローラ５と電源とを本接続しても良い。
【００２９】
床板３１の材質は、たとえば合板、木質繊維板（ＭＤＦなど）、木削片板、単板積層板などの木質系や軟質、硬質の合成樹脂板などが使用される。木質系の場合には、一般に床板の表面は化粧面とされる。床板３１の厚みは、たとえば９ｍｍのものが選定される。床板３１は、その継目３０が小根太（板材）３６の上に位置するように配置される。さらに、ヒーターマット３には、複数の小根太（板材）３６が適宜の間隔を保って互いに平行に、かつ千鳥状に配置され固定される。
【００３０】
図１は、本発明に係る床暖房装置の第１実施例を示す要部断面図で、図２におけるＡ−Ａ線断面を示す。床暖房装置１は、床下地材４０と、この床下地材４０の上に設けられるヒーターマット３と、このヒーターマット３の上に設けられ、ヒーター線２０および感熱線２２と重ならない位置に配置される小根太３６と、この小根太３６の上に載置される床板３１とを備える。
【００３１】
ヒーターマット３は、床下地材４０の上に設けられ、かつ床板３１に対して略面接触するように設けられる。ヒーターマット３は、弾力性を有する基材２９と、この基材２９の表面に貼着される電気のヒーター線２０または基材２９に埋め込まれる電気のヒーター線２０と、基材２９の表面にヒーター線２０で発生した熱を分散させる積層シート（熱分散手段）２４とを有する。ヒーター線２０は、基材２９の表面または内部に蛇行状に設けられ、小根太３６と重ならないように配置される。
【００３２】
さらに、ヒーターマット３は、この積層シート２４の表面に設けられる熱収縮シート（引き離し手段）１２を有する。熱収縮シート１２は、床板３１がヒーター線２０によって必要以上の温度上昇（「過熱」という。）となったときに、床板３１とヒーター線２０を含む基材２９とを引き離し、床板３１とヒーターマット３との間に空気層の空間を形成させるものである。したがって、基材、ヒーター線、積層シート２４および熱収縮シート１２は互いに密着するように形成され、かつヒーターマット３自体も床板３１に略密着するように形成される。基材２９は、不織布で形成され弾力性を有する。なお、符号２２は感熱線である。
【００３３】
床下地材４０は、床板３１にかかる荷重を小根太３６およびヒーターマット３を介して支える。床下地材４０の材料は、たとえば合板、木質板、木質繊維板（ＭＤＦなど）などの木質系を使用する。床下地材４０の厚みとしては、たとえば１５ｍｍのものを使用する。さらに、床下地材を支える根太同士の間には断熱材、たとえばポリスチレンフォームなどを設けると良い。
【００３４】
小根太３６は、細長状または短冊状である。小根太３６の材質は、合板、木質板、木質繊維板（ＭＤＦなど）、木削片板、単板積層板などの木質系を使用できる。さらに、小根太３６は、ヒーター線２０および感熱線２２と重ならないように配置され、熱収縮シート１２、積層シート２４および基材２９を介して木ねじ（ビス）３８により床下地材４０に固定される。この場合、基材２９が弾力性を有しているので、小根太３６の下に位置する基材２９は圧縮され、かつ小根太３６同士の間のヒーターマット３は床板３１に面接触するように形成される。なお、床板３１の継目３２位置には雄実３３、雌実３４が形成される。床板３１の固定は、小根太３６およびヒーターマット３を介して釘３７で床下地材４０に固定される。
【００３５】
図２は、第１実施例におけるヒーターマット３のヒーター線２０および感熱線２２の配置を示す平面図である。ここに示した実施例のヒーターマット３は、左右反対勝手のヒーターマット３ａ、３ｂを突き合せたものであるが、これに限定されない。ヒーター線２０は、基材２９の表面またはその内部に蛇行状に設けられる。さらに、ヒーター線２０の近傍でこれに沿って感熱線（センサー線）２２が設けられる。また、先に記したように、ヒーター線２０の外側には小根太３６が配置され、ヒーター線２０および感熱線２２と重ならないように配置される。
【００３６】
図３は、第１実施例におけるヒーターマット３に使用される積層シートの拡大断面図である。積層シート２４は、スパンボンドなどの不織布で形成される二つのシート２６、２７の間に熱伝導性および可撓性を有するアルミニウム箔（薄板）２５が挟まれ、接着剤で貼着される。二つのシート２６、２７の間にアルミニウム箔２５を貼着する接着剤（合成樹脂）としては、たとえば酢酸ビニル系、酢酸ビニル・アクリル系、エチレン・酢酸ビニル系、アクリル・エチレン系、ウレタン系などである。
【００３７】
以上の構造を有する第１実施例の床暖房装置１は、次のように作用する。すなわち、図１において、床板３１とヒーターマット３とは面接触するように形成されるので、ヒーター線２０で発生した熱は主として熱伝導により床板３１に熱伝達される。ヒーター線２０で発生した熱が床板３１に熱伝達されると床板３１の温度が上がるので、床板上の空間が暖房される。
【００３８】
図５は、第１実施例の床暖房装置において熱収縮シート１２が熱収縮した状態の要部断面図である。床板３１の上に座布団、布団など保温性の良いもの４３が置かれ、これら保温性の良いもの４３の下の床板３１が一定の温度を越えて過熱されたときには、熱収縮シート１２が熱により収縮、変形し、これにより床板３１とヒーターマット３とが引き離される。床板３１とヒーターマット３とが引き離されるので、それらの間に隙間（空間）４４が形成され非接触となる。
【００３９】
床板３１とヒーターマット３とが引き離されと床板３１とヒーターマット３との間に隙間ないし空間が形成されるので、ヒーターマット３側から床板３１に熱伝導により伝達される熱量はほとんど無くなる。熱伝導による熱伝達がほとんど無くなるので、保温性の良いもの４３の下の床板３１の温度が下がり過熱は解消される。過熱が解消されるので、保温性の良いもの４３やその下の床板３１の変色が回避され、かつ床板３１の部分の乾燥やひび割れ、反りなどが発生しない。
【００４０】
反対に、過熱した床板３１の温度が下がり、ある所定の温度より低くなったときには熱収縮シート１２は元の熱収縮前の状態に戻り、床板３１とヒーターマット３とは接触する。床板３１とヒーターマット３とが接触すると、再び熱伝導により熱が伝えられるので、その床板の温度が上昇する。このようにして、保温性の良いもの４３の置かれた床板の温度は一定に制御される。
【００４１】
また、ヒーターマット３（または基材２９）は、弾力性を有するので、ヒーターマット３自体が床板に接触し床板３１とヒーターマット３とが密着し、熱伝導による熱伝達が良好になる。さらに、ヒーターマット３は弾力性を有するので緩衝材の役目を果たし、ヒーター線２０や感熱線２２を損傷から保護する。
【００４２】
さらに、図１、５に示すように、小根太３６は、ヒーターマット３の上に設けられヒーター線２０および感熱線２２と重ならない位置に配置されることによって、床板３１と床下地材４０との間には、小根太３６および圧縮されたヒーターマット３とによって、ヒーターマット３が床板３１を押し付け、かつ床板３１が過熱したときに熱収縮シート１２が収縮することにより隙間４４が発生するような高さが形成される。
【００４３】
また、積層シート１２を設けることにより、床板３１は均一に加熱される。さらに、床下地材４０の下側に断熱材を設けることによりヒーター線２０で発生した熱エネルギーの床下からの放熱量を少なくし暖房効率を向上させる。
【００４４】
また、小根太３６は、ヒーターマット３の上に設けられるので床板３１を張る際に確認することができ、小根太３６を釘や木ねじなどで固定する際に固定する位置が明確に分かり、かつ釘や木ねじでヒーター線２０や感熱線２２を損傷させることもない。さらに、床板の継目３２は小根太３６の上に位置するように張られるので、床板３１の継目部分が撓んだり、跳ね上がるなどの変形をすることがなく、不陸のない床面を与えることができる。
【実施例２】
【００４５】
図６は、本発明に係る床暖房装置の第２実施例を示す要部断面図である。第２実施例の床暖房装置１は、図１〜５に示した第１実施例の床暖房装置において、熱収縮シート１２の代わりに形状記憶シート（引き離し手段）１４を用いた場合である。形状記憶シート１４は、床板３１がある一定の温度を越えて過熱されたときに、熱によりその形状が蛇腹状に折れ曲がる。なお、第２実施例においては折れ曲がりの方向が小根太３６の長手方向に沿って図示のように折れ曲がるが、これに限定されず、小根太３６の長手方向と直交する方向に折れ曲がっても良い。
【００４６】
形状記憶シート１４が折れ曲がることにより床板３１とヒーターマット３とが引き離され、床板３１とヒーターマット３との間の隙間または空間４４が大きくなると、ヒーター線２０で発生した熱は床板３１に熱伝達しにくくなるので床板３１の温度が下がり過熱が解消される。反対に、過熱した床板３１の温度が下がり、ある所定の温度以下になると、形状記憶シート１４は元の状態に戻り、床板３１とヒーターマット３との接触面積が増大し、熱伝導による伝熱量が増大する。伝熱量が増大すると床板３１の温度が上昇するので、床板３１の温度が一定に制御される。
【００４７】
形状記憶シート１４を利用することにより、床板３１とヒーターマット３との間を比較的大きく引き離すことができるとともに、ヒーターマット３の折れ曲がった頂点が床板３１に接触しているので熱を一部伝達することにより、床板の温度を下げ過ぎることを防止し、床板３１の温度制御を安定化する働きがある。図６に示した第２実施例におけるその他の構造と作用は、図１〜５に示した第１実施例の構造と作用と同じであるので、その説明を省略する。
【実施例３】
【００４８】
図７は、本発明に係る床暖房装置の第３実施例を示す要部断面図である。図８は、第３実施例の床暖房装置においてバイメタル１６が変形した状態の要部断面図である。第３実施例の床暖房装置１は、積層シート２４の上にバイメタル（引き離し手段）１６を用いた場合である。バイメタル１６の形状は、図７に示した板状に限らず、帯状、線状、コイルばね状、柱状など適宜の形状とする。バイメタル１６を置く方向は、小根太３６の長手方向に沿った方向やこれに直交する方向とし、その置く位置や数は床板３１の温度が安定化する適宜の位置や数とする。
【００４９】
図８に示すように、バイメタル１６は、床板３１がある一定の温度を越えて過熱したときに、熱によりその形状が上面に凹状に変形することにより床板３１とヒーターマット３とを引き離すので、床板３１とヒーターマット３との間に隙間または空間４４が形成される。床板３１とヒーターマット３との間に隙間または空間４４が形成されるので、ヒーター線２０で発生した熱は床板３１に伝わりにくくなる。そのため床板３１の温度が下がり過熱が解消される。反対に過熱された床板３１の温度がある所定の温度より下がったときには、バイメタル１６が、図７に示したように、元の形状に戻るので床板３１とヒーターマット３との接触面積が増大し、ヒーターマット３側から床板３１側への熱伝導による熱量が増大し、床板３１の温度が上昇する。このようにして床板３１の温度は一定に制御される。
【００５０】
バイメタル１６の板厚を適宜の大きさとすることにより、床板３１とヒーターマット３との間を引き離す力を大きくできるので、ヒーターマット３が比較的硬くても引き離すことができるとともに、バイメタル１６およびヒーターマット３の一部が床板３１に接触しているので熱を一部伝達することができ、床板３１の温度制御を安定化する働きもする。図７、８に示した第３実施例におけるその他の構造と作用は、図１〜５に示した第１実施例の構造と作用と同じであるので、その説明を省略する。
【実施例４】
【００５１】
図９は、本発明に係る床暖房装置の第４実施例を示す要部断面図である。図１０は、第４実施例の床暖房装置においてクッション材１８が収縮した状態の要部断面図である。第４実施例の床暖房装置１は、基材２９の下側に板状のクッション材（引き離し手段）１８を埋め込んだ場合である。クッション材１８の形状は、板状とするが、その位置と数は床板３１の温度が安定化する適宜のものとする。
【００５２】
図１０に示すように、クッション材１８は、床板３１がある一定の温度を越えて過熱したときに、熱により少なくともその厚さ方向に収縮する。クッション材１８が収縮するとヒーターマット３の厚さが小さくなるので、ヒーターマット３は床板３１から離れ、床板３１とヒーターマット３との間に隙間ないし空間が形成される。床板３１とヒーターマット３との間に隙間または空間４４が形成されると、ヒーター線２０で発生した熱は熱伝導により床板３１に伝わりにくくなるので床板３１の温度が下がり過熱が解消される。
【００５３】
反対に過熱された床板３１の温度がある所定の温度より下がったときには、クッション材１８が膨張し、その厚みが、図９に示したように、増大し元に戻るので床板３１とヒーターマット３との接触面積が増大し、ヒーターマット３側から床板３１側への熱伝導による熱量が増大し、床板３１の温度が上昇する。このようにして床板３１の温度は一定に制御される。
【００５４】
クッション材１８を利用することにより、ヒーターマット３の大きい面積を床板３１から引き離すことができるので、比較的小さい引き離し隙間または空間４４でも熱伝達を小さくする効果が大きい。図９、１０に示した第４実施例におけるその他の構造と作用は、図１〜５に示した第１実施例の構造と作用と同じであるので、その説明を省略する。
【００５５】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００５６】
本発明の床暖房装置は、集合住宅や個別住宅の室の暖房あるいは事務所、理髪店、美容院などの業務用室の暖房として利用可能である。
【図面の簡単な説明】
【００５７】
【図１】本発明に係る床暖房装置の第１実施例を示す要部断面図である。
【図２】第１実施例におけるヒーターマットのヒーター線および感熱線の配置を示す平面図である。
【図３】第１実施例におけるヒーターマットに使用される積層シートの拡大断面図である。
【図４】第１実施例の床暖房装置の斜視図である。
【図５】第１実施例の床暖房装置において熱収縮シートが収縮した状態の要部断面図である。
【図６】本発明に係る床暖房装置の第２実施例を示す要部断面図である。
【図７】本発明に係る床暖房装置の第３実施例を示す要部断面図である。
【図８】第３実施例の床暖房装置においてバイメタルが変形した状態の要部断面図である。
【図９】本発明に係る床暖房装置の第４実施例を示す要部断面図である。
【図１０】第４実施例の床暖房装置においてクッション材が収縮した状態の要部断面図である。
【符号の説明】
【００５８】
１  床暖房装置
３、３ａ、３ｂ  ヒーターマット
１２  熱収縮シート（引き離し手段）
１４  形状記憶シート（引き離し手段）
１６  バイメタル（引き離し手段）
１８  クッション材（引き離し手段）
２０  ヒーター線（発熱手段）
２２  感熱線
２４  積層シート（熱分散手段）
２９  基材
３１  床板
３６  小根太（板材）
４０  床下地材
４４  隙間または空間
【図１】
2005098565.tif 000003
【図２】
2005098565.tif 000004
【図３】
2005098565.tif 000005
【図４】
2005098565.tif 000006
【図５】
2005098565.tif 000007
【図６】
2005098565.tif 000008
【図７】
2005098565.tif 000009
【図８】
2005098565.tif 000010
【図９】
2005098565.tif 000011
【図１０】
2005098565.tif 000012